(57)【特許請求の範囲】
【請求項１】
基端部から自由端である先端部にかけて全体としてループ状に湾曲し、上記先端部と上記基端部との間に糸通し用の開口を有する糸掛け部、を備えた編み物用マーカーであって、
上記糸掛け部は、波形状に屈曲する屈曲領域を有し、
上記屈曲領域を含んだ上記糸掛け部全体が所定の面内に沿っており、
上記屈曲領域は、上記糸掛け部全体の湾曲における外側に凸となる円弧が連続する形状であることを特徴とする、編み物用マーカー。
【請求項２】
上記糸掛け部は、上記先端部から上記屈曲領域に至るまでの間が屈曲していない非屈曲領域を有する、請求項１に記載の編み物用マーカー。
【請求項３】
上記糸掛け部の上記基端部につながり、当該糸掛け部を含む面内方向に延びる板状のベース部をさらに備え、
上記糸掛け部は、弾性変形可能であり、かつ自然状態において上記先端部と上記ベース部との間に上記開口が形成されており、
上記ベース部には、弾性変形させた上記糸掛け部の上記先端部を係合させるための係合部が設けられており、上記先端部が上記係合部に係合するとき、上記糸掛け部と上記ベース部とが閉じたループを形成する、請求項１または２に記載の編み物用マーカー。
【発明の詳細な説明】
【技術分野】
【０００１】
本発明は、編み作業の途中等において編み糸等に目印として掛け止めるための編み物用マーカーに関する。
【背景技術】
【０００２】
編み作業において、たとえば編み物に目印を付けるために編み物用マーカーが用いられる（たとえば、特許文献１を参照）。編み物用マーカーは、たとえば所定の段数ごとに編み方を変える模様編みを行う場合、段数を数えやすくするために用いられる。
【０００３】
特許文献１に開示された編み物用マーカーは、ベース部と、ベース部の適所から棒状に延びる糸掛け部とを有する。糸掛け部は、ベース部につながる基端部から自由端である先端部にかけて緩やかなループ状に湾曲している。上記従来の編み物用マーカーを使用する際には、糸掛け部の先端部と、ベース部との間の糸通し用の開口を通じて当該先端部で編み目（編み糸）を掬い、糸掛け部の内側に編み糸を通す。そして、糸掛け部の先端部を、ベース部に設けられた係合部に係合させることで、閉じたロープが形成される。これにより、編み物用マーカーの脱落が防止される。
【０００４】
編み物用マーカーの使用に際しては、たとえば僅かな時間だけ目印として付けておきたい場合、あるいは短いスパンで付け外しを繰り返したい場合などがある。このような使用態様においては、作業性の観点から、係合部によるロックをせずに使用することが要請される。しかしながら、係合部のロックをせずに使用すると、糸掛け部が編み糸から滑り落ちる場合があった。
【先行技術文献】
【特許文献】
【０００５】
【特許文献１】意匠登録第１５３１７５３号公報
【発明の概要】
【発明が解決しようとする課題】
【０００６】
本発明はこのような事情のもとで考え出されたものであって、使い勝手のよい編み物用マーカーを提供することを主たる課題とする。
【課題を解決するための手段】
【０００７】
上記の課題を解決するため、本発明では、次の技術的手段を講じている。
【０００８】
本発明によって提供される裁縫用クリップは、基端部から自由端である先端部にかけて全体としてループ状に湾曲し、上記先端部と上記基端部との間に糸通し用の開口を有する糸掛け部、を備えた編み物用マーカーであって、上記糸掛け部は、波形状に屈曲する屈曲領域を有することを特徴としている。
【０００９】
好ましい実施の形態においては、上記屈曲領域を含んだ上記糸掛け部全体が所定の面内に沿う。
【００１０】
好ましい実施の形態においては、上記屈曲領域は、上記糸掛け部全体の湾曲における外側に凸となる円弧が連続する形状である。
【００１１】
好ましい実施の形態においては、上記糸掛け部は、上記先端部から上記屈曲領域に至るまでの間が屈曲していない非屈曲領域を有する。
【００１２】
好ましい実施の形態においては、上記糸掛け部の上記基端部につながり、当該糸掛け部を含む面内方向に延びる板状のベース部をさらに備え、上記糸掛け部は、弾性変形可能であり、かつ自然状態において上記先端部と上記ベース部との間に上記開口が形成されており、上記ベース部には、弾性変形させた上記糸掛け部の上記先端部を係合させるための係合部が設けられており、上記先端部が上記係合部に係合するとき、上記糸掛け部と上記ベース部とが閉じたループを形成する。
【００１３】
本発明のその他の特徴および利点は、添付図面を参照して以下に行う詳細な説明によって、より明らかとなろう。
【図面の簡単な説明】
【００１４】
【図１】本発明に係る編み物用マーカーの一例を示す正面図である。
【図２】図１に示す編み物用マーカーの左側面図である。
【図３】図１のＩＩＩ−ＩＩＩ線に沿う断面図である。
【図４】編み物用マーカーの使用状態を説明するための正面図である。
【図５】図４のＶ−Ｖ線に沿う断面図である。
【図６】編み物用マーカーの使用状態を説明するための正面図である。
【図７】本発明に係る編み物用マーカーの他の例を示す正面図である。
【発明を実施するための形態】
【００１５】
以下、本発明の好ましい実施の形態について、図面を参照して具体的に説明する。
【００１６】
図１〜図３は、本発明に係る編み物用マーカーの一実施形態を示している。図１および図２に表れているように、本実施形態の編み物用マーカーＡ１は、ベース部１と、糸掛け部２とを備えており、たとえば編み作業の途中等において編み糸に掛け止めて使用するものである。
【００１７】
糸掛け部２は、ベース部１から延びるように形成されており、編み糸に掛け止める部分である。より具体的には、糸掛け部２は、基端部２１から先端部２２にかけて全体として湾曲しており、弾性変形可能な棒状を呈している。糸掛け部２の横断面は、概略円形状とである。糸掛け部２はまた、屈曲領域２３および非屈曲領域２４を有する。本実施形態において、糸掛け部２は、所定の平面（図１においては紙面の面内方向）に沿うように形成されている。
【００１８】
基端部２１は、ベース部１に連結されている。その一方、先端部２２は自由端とされており、自然状態において、先端部２２とベース部１との間には開口３が形成されている。先端部２２は、後述の係合部１３に係合させられる部分であり、先細り状となっている。
【００１９】
屈曲領域２３は、波形状に屈曲する部分であり、基端部２１と先端部２２との間に設けられている。ここで、波形状とは、たとえば、正弦波形状、矩形波形状、三角波形状、台形波形状、鋸波形状など、単位波形が繰り返し連続する形状のことである。図１によく表れているように、本実施形態において、屈曲領域２３は、糸掛け部２全体の湾曲における外側に凸となる単位円弧２３１が連続する形状である。当該単位円弧２３１の数は特に限定されるものではないが、たとえば３〜５個程度である。図１に示した屈曲領域２３では、単位円弧の数は４個である。
【００２０】
本実施形態においては、屈曲領域２３についても、上記した所定の平面（糸掛け部２全体が沿う平面で、図１において紙面の面内方向）に沿っている。
【００２１】
非屈曲領域２４は、屈曲していない部分であり、先端部２２から屈曲領域２３に至るまでの間にある。本地市形態において、非屈曲領域２４は緩やかに湾曲している。
【００２２】
ベース部１は、板状部１１と、周縁部１２と、係合部１３とを有する。板状部１１は、所定の厚みを有しており、ベース部１の主要部分を構成する。周縁部１２は、板状部１１のうち糸掛け部２と向かい合う内側部分とは反対側の外側部分の周縁に沿って形成されており、厚みが相対的に大きくされた部分である（図３参照）。この厚みが大きくされた周縁部１２に、上記糸掛け部２の基端部２１がつながっている。
【００２３】
係合部１３は、上記糸掛け部２の基端部２１がつながる部分から離れた位置に設けられている。係合部１３は、弾性変形させた糸掛け部２の先端部２２を係合させるためのものであり、起立部１３１および延出部１３２を含んで構成されている。起立部１３１は、ベース部１（板状部１１）の周縁において当該ベース部１の一方の面１ａ（図１における紙面上側の面）から厚さ方向に立ち上がっている。延出部１３２は、起立部１３１の先端から糸掛け部２の基端部２１側（図１における図中上側）に延びている。
【００２４】
ベース部１（板状部１１）には、係合部１３の近傍において孔１４が形成されている。孔１４は、正面視において延出部１３２と重なっており、ベース部１の厚さ方向に貫通している。なお、本実施形態において、ベース部１（板状部１１）の適所には突起や凹み、あるいは孔などが形成されており、正面視において編み物用マーカーＡ１全体が羊を模したデザインとされている。
【００２５】
上記したベース部１および糸掛け部２を含んで構成される編み物用マーカーＡ１は、たとえばポリアセタール樹脂などの所定の強度を有する合成樹脂により一体形成される。
【００２６】
次に、本実施形態の編み物用マーカーＡ１の作用について説明する。
【００２７】
編み物用マーカーＡ１を使用する際には、図４に表れているように、ベース部１と糸掛け部２の先端部２２との間の開口３を通じて先端部２２で編み目（編み糸Ｙ１）を掬い、糸掛け部２の内側に編み糸Ｙ１を通す。そして、糸掛け部２を、図４において仮想線で表す自然状態から弾性変形させて係合部１３に係合させる。ここで、図４において実線で示すように、糸掛け部２とベース部１とにより閉じたループが形成される。
【００２８】
編み物用マーカーＡ１の使用時には、糸掛け部２と係合部１３とが閉じたループを形成する。これにより、編み物用マーカーＡ１が編み目（編み糸Ｙ１）から脱落するのを防止することができる。
【００２９】
糸掛け部２は、波形状に屈曲する屈曲領域２３を有する。糸掛け部２は、屈曲領域２３を含んだ当該糸掛け部２全体が所定の面内に沿っており、屈曲領域２３は、糸掛け部２全体の湾曲における外側に凸となる単位円弧２３１が連続する形状である。このような構成によれば、編み物用マーカーＡ１を編み目に付けた時、上記の外側に凸となる単位円弧２３１が編み地の隙間に入り込んでフィットする。これにより、編み目が引き伸ばされ難くなり、編み目の乱れを防止することができる。
【００３０】
係合部１３は、板状部１１から立ち上がる起立部１３１と、この起立部１３１の先端から糸掛け部２の基端部２１側に延びる延出部１３２とを含む。図４、図５を参照すると理解されるように、糸掛け部２を係合部１３に係合させるときには、糸掛け部２の弾性復元力が図中右側に向けて作用する。上記した係合部１３の構成によれば、糸掛け部２の先端部２２は、板状部１１、起立部１３１および延出部１３２によって囲まれているので、当該先端部２２が係合部１３から意図せずに外れるといった不具合を適切に回避することができる。
【００３１】
編み物用マーカーＡ１の使用に際しては、たとえば短時間だけ編み目に付けておきたい場合がある。このような使用態様においては、図６に示すように、糸掛け部２を編み目（編み糸Ｙ１）に通した後、上記係合部１３によるロックをせずに開口３が開いたままにする。本実施形態においては、上記のように糸掛け部２は、波形状に屈曲する屈曲領域２３を有する。このような構成によれば、波形状に細かく屈曲する部分によって、糸掛け部２が編み糸Ｙ１から滑り落ちるといった不都合が防止される。
【００３２】
糸掛け部２は、先端部２２から屈曲領域２３に至るまでの間が屈曲していない非屈曲領域２４とされている。このように、糸掛け部２が、先端部２２から一定範囲において非屈曲領域２４を有する構成によれば、糸掛け部２（先端部２２）を編み糸Ｙ１に通す作業をスムーズに行うことができる。
【００３３】
上記のように、糸掛け部２は、屈曲領域２３を含んだ当該糸掛け部２全体が所定の面内に沿っており、屈曲領域２３は、糸掛け部２全体の湾曲における外側に凸となる単位円弧２３１が連続する形状である。このような構成によれば、糸掛け部２全体の湾曲における外側を指で摘むときに単位円弧２３１より引っ掛かり易く、滑りが防止される。したがって、糸掛け部２を係合部１３に係合させ、あるいは当該係合を解除する際の糸掛け部２の開閉操作について、作業性がよい。
【００３４】
以上、本発明の具体的な実施形態を説明したが、本発明はこれに限定されるものではなく、発明の思想から逸脱しない範囲内で種々な変更が可能である。本発明に係る編み物用マーカーの具体的な形状や材質なども、上記実施形態に限定されるものではない。
【００３５】
上記実施形態においては、ベース部１を備える場合について説明したが、本発明はこれに限定されず、ベース部を具備しない構成であってもよい。図７は、ベース部を具備しない編み物用マーカーの一例を示している。図７に示した編み物用マーカーＡ２は、上記実施形態の編み物用マーカーＡ１における糸掛け部２と同様の糸掛け部２を備えるが、屈曲領域２３は、５個の単位円弧２３１を含む。また、編み物用マーカーＡ２においては、糸掛け部２の先端部２２と基端部２１との間が糸通し用の開口３とされている。
【００３６】
図７に示した編み物用マーカーＡ２においても、上記の編み物用マーカーＡ１における屈曲領域２３や非屈曲領域２４に関して上述した作用と同様の作用を奏する。
【００３７】
なお、上記実施形態において、屈曲領域２３は、糸掛け部２全体が湾曲する面内に沿う形状とされていが、これに限定されない。たとえば、屈曲領域２３は、糸掛け部２全体が湾曲する面内方向に対して交差するようにジグザグに屈曲する構成としてもよい。
【符号の説明】
【００３８】
Ａ１，Ａ２    編み物用マーカー
Ｙ１      編み糸
１        ベース部
１１      板状部
１２      周縁部
１３      係合部
１３１    起立部
１３２    延出部
１４      孔
２        糸掛け部
２１      基端部
２２      先端部
２３      屈曲領域
２３１    単位円弧
２４      非屈曲領域
３        開口
【図１】
0006716823.tif 000002
【図２】
0006716823.tif 000003
【図３】
0006716823.tif 000004
【図４】
0006716823.tif 000005
【図５】
0006716823.tif 000006
【図６】
0006716823.tif 000007
【図７】
0006716823.tif 000008